(57)【要約】【課題】基本的には手釣りの趣向を邪魔することなくその醍醐味等を思う存分楽しめるものとしつつ、手指等の痛みが起こった場合など必用に応じて、釣り糸の手繰り寄せを補助できるような手繰り補助装置を案出する。【解決手段】手釣り用釣り糸１０を１周以上巻き掛け可能な手繰りロータ２と、この手繰りロータ２に回転動力を伝えるロータ駆動部４と、このロータ駆動部４を支持する装置本体３とを有し、この装置本体３には船体適所３７に対して着脱自在となるクランプ部３１が設けられて成るものとした。【選択図】図１
2005204522.tif 000002
【特許請求の範囲】
【請求項１】
手釣り用釣り糸（１０）を１周以上巻き掛け可能な手繰りロータ（２）と、この手繰りロータ（２）に回転動力を伝えるロータ駆動部（４）と、このロータ駆動部（４）を支持する装置本体（３）とを有しており、この装置本体（３）には船体適所（３７）に対して着脱自在となるクランプ部（３１）が設けられていることを特徴とする手釣り用釣り糸の手繰り補助装置。
【請求項２】
前記手繰りロータ（２）に対しその外周面に近接する配置で手釣り用釣り糸（１０）の巻き掛け時横揺れを防止する糸ガイド（２０）が設けられていることを特徴とする請求項１記載の手釣り用釣り糸の手繰り補助装置。
【請求項３】
前記装置本体（３）には、クランプ部（３１）に対して手繰りロータ（２）を首振り自在にすると共に首振り角度の固定を可能にする首振り角度設定手段（３２）が設けられていることを特徴とする請求項１又は請求項２記載の手釣り用釣り糸の手繰り補助装置。
【請求項４】
前記装置本体（３）には、所定範囲で弾力性を有する魚信アンテナ（５０）が装着可能になっており、この魚信アンテナ（５０）には手繰りロータ（２）へ巻き掛ける直前の手釣り用釣り糸（１０）を通す糸通し部（５１）と、当該魚信アンテナ（５０）の振動を周辺に報知する報知手段（５２）とが設けられていることを特徴とする請求項１乃至請求項３のいずれかに記載の手釣り用釣り糸の手繰り補助装置。
【発明の詳細な説明】
【技術分野】
【０００１】
本発明は、手釣り用釣り糸の手繰り補助装置に関するものである。
【背景技術】
【０００２】
アジ、サバ、イサギ、タイ、ハマチなどを海洋へ出て船釣りする場合、釣り竿を用いた「竿釣り」とは別に、引き合いの手応えや醍醐味を肌で感じて楽しむ趣向として「手釣り」がある。因みに手釣りは、糸巻き用木枠に巻き付けた状態又はループ状に整然と巻いた状態で釣り船のデッキ上に置かれた釣り糸（勿論、釣り竿は無い）の先端側に仕掛け（釣り針や錘）と餌を取り付け、これを海中へ流すと共に船上では釣り人が釣り糸を人差し指等に引っ掛け、親指を添えるようにしつつ当たりを待ち、当たりがあったときには両腕を交互に動かして釣り糸を手繰り寄せるという釣り方をするものである。
【０００３】
従来、この手釣りをする際に、釣り人によって海中から手繰られて釣り船のデッキ上へ投げ出される釣り糸が、デッキ上で散乱するのを防止するために、この釣り糸を順次巻き取るようにした巻取装置が提案されている（特許文献１参照）。この手釣り用巻取装置は電動で回転する巻取リールを有したもので、この巻取リールまわりに、釣り人によって手繰られた後の釣り糸を改めて全部、巻き付けるようにしている。要するに、（釣りに伴う）張力が無くなった後の釣り糸を回収し、格納するための装置であると言える。
なお「竿釣り」に関しては、釣り竿に直接又は間接に装着する電動リールが周知である（例えば、特許文献２など参照）。この電動リールでは、回転するリールにより海中からの釣り糸の巻き取りを行うと共に、巻き取った釣り糸をそのままリールまわりに全部、巻き付けるようになっている。
【０００４】
また「延縄漁」などで漁船に搭載される釣縄や網用の巻取装置も知られている（例えば、特許文献３など参照）。この漁船搭載用の巻取装置は、回転するローラーと周回転するエンドレスベルトとを互いに摺り合わせ、これらの摺り合わせ間で釣縄や網を海中から引き上げるようにするものである。
【特許文献１】実用新案登録第３０９１６１１号公報
【特許文献２】実開平５−９１３５０号公報
【特許文献３】実開平７−２５７７０号公報
【発明の開示】
【発明が解決しようとする課題】
【０００５】
手釣りでは、あまり慣れていない者がすると、何度も釣り糸の手繰り寄せ動作を繰り返したときに手指が痛くなるということがある。尤も仕掛けに掛かった魚が大物であったり引きの強いものであったりしたときであれば、慣れ不慣れに関係なく、手指が痛くなる。
ところで、このような場合に「竿釣り」の場合よろしく従来の手釣り用に提案された巻取装置（特許文献１のもの）で釣り糸の巻き上げをしようとしても、この巻取装置では巻取リールに対して釣り糸の全部を巻き付ける構造であるため、最初から釣り糸の尾端を巻取リールに固定しておかなければならず、そのうえで、常に、釣り人による釣り糸の手繰り寄せと巻取リールによる釣り糸の巻き付けとを同調させるように、この巻取装置を作動させておく必用がある。
【０００６】
このような巻取装置の作動や制御は非常に難しい。そのため、いざ仕掛けに魚が掛かり、その時点で手指が痛いと気付いたときには、巻取装置をすぐに有効な作動状態とさせる（巻き取りを開始させる）ことができないと言わざるを得ない。しかも、この巻取装置は釣り船のデッキなどに対して据え置き型となっており、必ずしも釣り人の居場所の近くにあるとは限らない。このようなことから、従来の巻取装置は釣り糸を海中から巻き上げる役には立たず、あくまでも、張力が無くなった後の釣り糸を回収し、格納するための装置にすぎないと言わざるを得ない。
【０００７】
また「竿釣り」時に用いる電動リール（特許文献２等）は、そもそもが海中からの釣り糸の巻き取りとリールまわりへの巻き付けとを一貫して行うものであり、この点で上記した手釣り用巻取装置と同じものと言え、のみならず、この竿釣り用電動リールは釣り竿が装着の対象及び前提となっていることから、逆の言い方をすれば、これを手釣りで使用することはできない。
なお、「延縄漁」などでの漁船搭載用の巻取装置は、手釣り用巻取装置や竿釣り用電動リールとはその大きさも出力も甚だ異なるものであり、本来、技術的範疇を異にすると言っても過言ではない
本発明は、上記事情に鑑みてなされたものであって、基本的には手釣りの趣向を邪魔することなくその醍醐味等を思う存分楽しめるものとしつつ、手指等の痛みが起こった場合など必用に応じて、釣り糸の手繰り寄せを補助できる（委ねられる）ようにした手釣り用釣り糸の手繰り補助装置を提供することを目的とする。
【課題を解決するための手段】
【０００８】
前記目的を達成するために、本発明は次の手段を講じた。
即ち、本発明に係る手釣り用釣り糸１０の手繰り補助装置１は、釣り糸１０を１周以上巻き掛け可能な手繰りロータ２と、この手繰りロータ２に回転動力を伝えるロータ駆動部４と、このロータ駆動部４を支持する装置本体３とを有したものである。そして装置本体３に対して、船体適所３７に対して着脱自在となるクランプ部３１が設けられている。
このような構成の手繰り補助装置１は、釣り船上にて手釣りを行おうとする場所の近くで、船縁（フナベリ）などの船体適所３７へクランプ部３１を使って取り付けておく。そしてこの状態のまま、例えば最初の段階ではこの手繰り補助装置１を使わずに、手釣りを堪能する。そして手釣りによって手指が痛くなったときなど、必用が生じたときに、釣り糸１０を手繰りロータ２へ一周程度、巻き掛け、そのうえでロータ駆動部４を作動させる。これにより、手繰りロータ２の回転によって釣り糸１０の手繰り寄せを補助させることができるようになる。手繰り寄せられた釣り糸１０は、手繰りロータ２へ巻き付けてゆくのではなく、本来の手釣り同様、釣り船のデッキ上又は回収カゴ内などへ引き上げるか、或いは糸巻き用木枠等へ巻き付けるようにする。
【０００９】
手繰りロータ２に対し、その外周面に近接する配置で釣り糸１０の巻き掛け時横揺れを防止するための糸ガイド２０を設けるのが好適である。
この糸ガイド２０を設けておけば、仕掛けに掛かった魚が激しく泳ぎまわるようなことがあった場合にも、手繰りロータ２から釣り糸１０が外れるのを防止できる。
装置本体３には首振り角度設定手段３２を設けることも可能である。この首振り角度設定手段３２は、クランプ部３１に対して手繰りロータ２を首振り自在にさせると共に、所定の首振り角度とした後に、この首振り角度を固定可能にするためのものである。
【００１０】
このような首振り角度設定手段３２を設けると、潮の流れをはじめとして、風や釣り船の向きなどに対して釣り糸１０の流す方向を順応させるように手繰りロータ２の向きを調節することができる。そのため、手繰りロータ２による釣り糸１０の手繰り寄せが円滑に行え、また手繰り寄せの途中で手繰りロータ２から釣り糸１０が外れるのを防止できる。
装置本体３に対し、所定範囲で弾力性を有する魚信アンテナ５０を装着可能にすることが可能である。この魚信アンテナ５０には、手繰りロータ２へ巻き掛ける直前の釣り糸１０を通す糸通し部５１と、この魚信アンテナ５０の振動を周辺に報知する報知手段５２とを設けておく。なお、この報知手段５２は、音や光などを発生させることによって周辺に居る釣り人に注意を喚起させるためのものである。
【００１１】
このような魚信アンテナ５０を装置本体３に装着すると、仕掛けに対して魚のあたりがあるかどうかを報知手段５２が報知するまで、放っておくことができる。すなわち、釣り人は、他の用事をしたり休憩をしたり、或いは一人で複数の仕掛けを管理したりできることになる。
【発明の効果】
【００１２】
本発明に係る手釣り用釣り糸の手繰り補助装置では、基本的には手釣りの趣向を邪魔することなくその醍醐味等を思う存分楽しめるものとしつつ、手指等の痛みが起こった場合など必用に応じて、釣り糸の手繰り寄せを補助できるようにする。
【発明を実施するための最良の形態】
【００１３】
以下、本発明の実施の形態を、図面に基づき説明する。
図１乃至図５は、本発明に係る手釣り用釣り糸の手繰り補助装置１の一実施形態を示している。この手繰り補助装置１は手繰りロータ２を有している。この手繰りロータ２は横軸まわりで縦回転できる状態に装置本体３によって支持されている。またこの手繰りロータ２は、ロータ駆動部４によりその回転が駆動されるようになっている。
手繰りロータ２は、車輪形をしたロータ本体７に対しその幅方向両側に径方向外方へ張り出すフランジ８が設けられたもので、これら両フランジ８によって挟まれるようになったロータ本体７の外周面に釣り糸１０を巻き掛けることができ、また巻き掛けた釣り糸１０がフランジ８を超えて横方へ外れないようにしてある。
【００１４】
図４に示すように、ロータ本体７の外周面は、幅方向中央部に所定幅で径小化された本胴部７ａが設けられ、その幅方向両側に中央の本胴部７ａへ向けて徐々に径小化するテーパ部７ｂが設けられたものとしてある。テーパ部７ｂの最小径は本胴部７ａより径大なものとされており、本胴部７ａの幅方向両側に段差が突出形成されるようにしてある。これらテーパ部７ｂや段差の存在により、釣り糸１０が基本的に本胴部７ａに巻き掛けられた状態に保持され、この本胴部７ａから可及的に横ズレしないようにしてある。
なお、テーパ部７ｂから本胴部７ａへ臨む段差部には、釣り糸１０の切断を防止するためにアール面取りを施しておくのが好適である。同様に、フランジ８の外縁部にもアール面取りを施しておくのが好適である。
【００１５】
本胴部７ａの幅Ｗは釣り糸１０を一周以上、巻き掛けることができればよいので、それほど幅広いものとする必用はない。本実施形態では本胴部７ａの幅Ｗを９ｍｍとし、テーパ部７ｂの幅Ｔを８ｍｍとした。本胴部７ａの直径Ｄについては、小径すぎると釣り糸１０のスリップが生じて手繰り作用が不能又は不安定になるので、ある程度の大きさが必用である。実験では、直径Ｄを７０ｍｍ程度としたのでは釣り糸１０にスリップが見受けられたため、１００ｍｍ以上、好ましくは１４０ｍｍ以上とするのがよい。ただ大きければよいというものでもなく、この手繰り補助装置１の全体としての持ち運びに不便とならない範囲にしておく必用がある。本実施形態では本胴部７ａの直径Ｄは約１４０ｍｍとした。
【００１６】
この手繰りロータ２は、海水や潮風などに対して耐食性に優れた材質（例えば、アルミ等の軽合金やステンレス、チタン、プラスチック、セラミック、或いは木）によって形成されている。回転用駆動の負担を軽減させ、またこの手繰り補助装置１の全体としての持ち運びを容易にするため、なるべく軽量であることが望まれ、必用に応じて軽量化のための肉抜き孔１１を形成させればよい。
ロータ駆動部４は、手繰りロータ２の回転軸部に接続された減速部１５とこの減速部１５に高速回転駆動を入力する原動部１６とを有している。減速部１５による減速比は、手繰りロータ２による釣り糸１０の手繰り寄せ速度が、手釣り時の手繰り速度と略同じぐらいになるように設定されている。
【００１７】
原動部１６には電動モータを採用するのが最適であるが、小型エンジンを採用することも可能である。原動部１６に電動モータを採用する場合、そのオンオフスイッチ１７を手前側へ設けて操作し易いようにすればよい。またこの原動部１６用の動作電源としては、６Ｖ、１２Ｖ、２４Ｖ程度の携帯用バッテリー（図示略）を接続するか、釣り船に搭載された操船用バッテリーを接続するのもよい。オンオフスイッチ１７に近接させてスピードコントロールスイッチ（図示略）を設け、これで手繰りロータ２の回転数を所望に調節できるようにするのもよい。
【００１８】
このロータ駆動部４には、手繰りロータ２におけるロータ本体７の外周面に近接させて釣り糸１０を通す糸ガイド２０が設けられている。この糸ガイド２０は、釣り糸１０が横揺れしたときにその振れ幅を制限し、手繰りロータ２への巻き掛け状態が外れるのを防止するためのものである。
この糸ガイド２０は、リングの一部を欠如させることでその欠如部分に糸入れ口２１を形成させた形状（平面Ｃ型）を有していると共に、この糸入れ口２１に対して側方へ向く位置関係で取付脚２３が突設されたものとなっている。また、この取付脚２３には更にボルト２４が突設されており、減速部１５から延びる取付ステー２５に対してこのボルト２４を貫通させた状態で蝶ナット２６を螺合してボルト止めされている。従ってこの糸ガイド２０は、糸入れ口２１が手繰りロータ２の外周面に対して丁度、背を向けるように保持されることになる。
【００１９】
なお、取付ステー２５への取り付けに蝶ナット２６を用いてあることで、これを簡単に緩めたりまた締め込んだりが自在であり、蝶ナット２６を緩めた状態とすれば、糸ガイド２０はボルト２４を中心とする向き換えが可能になっている。また、取付ステー２５は減速部１５に対してボルト２７及びナット２８を用いて固定してあるが、このボルト２７及びナット２８を緩めることで取付ステー２５の傾き自体を変更調節することができる。これにより、手繰りロータ２のまわりでの糸ガイド２０の位置付けを調節することも自在に行えるようになっている。
【００２０】
装置本体３は、ロータ駆動部４ごと手繰りロータ２を持ち上げて保持するようになった支持基部３０と、この支持基部３０の下部に設けられたクランプ部３１とを有している。また、これら支持基部３０とクランプ部３１との上下間には、首振り角度設定手段３２が設けられている。
支持基部３０は、旋回台３４を基礎としてこれからロータ駆動部４の減速部１５と連結される支持アーム３５が延び出た構造となっている。減速部１５と支持アーム３５との連結部分は、上記した減速部１５に対する取付ステー２５の固定部分でボルト２７及びナット２８により共締めさせてある。また、支持アーム３５と旋回台３４との連結部分は、ボルト３６によりボルト止めされている。このボルト３６を緩めた状態とすれば支持アーム３５の傾き自体を変更調節することができるので、これにより、ロータ駆動部４ごと、手繰りロータ２の保持角度を前後傾方向へ調節することも自在に行えるようになっている。
【００２１】
図２に示すように、クランプ部３１は釣り船の船縁（フナベリ）など、船体適所３７に対して着脱自在とされたもので、上部挟持片３８及び下アゴ３９と、この下アゴ３９に対して上下方向に串刺し状に螺合貫通されたクランプボルト４０とを有している。クランプボルト４０には、その上端部に下部挟持片４１が回転自在に設けられ、また下端部には回動操作用のクランクハンドル４２が取り付けられている。なお、上部挟持片３８の下面にはすべり止め及び船体適所３７に対する傷防止のために、パッド４３が設けられている。
首振り角度設定手段３２は、ロータ駆動部４の旋回台３４に対し、これを上下方向に串刺しにする状態で蝶ボルト４６が刺し通され、この蝶ボルト４６がクランプ部３１の上部挟持片３８に螺合されることで形成されている。蝶ボルト４６を用いてあることで、これを簡単に緩めたりまた締め込んだりが自在であり、蝶ボルト４６を緩めた状態とすれば、旋回台３４は蝶ボルト４６を中心とする向き換えが可能になっている。すなわち、クランプ部３１対して手繰りロータ２を首振り自在にさせることができる。勿論、手繰りロータ２の首振り角度を決定させた後、蝶ボルト４６を締め込めば、この首振り角度は固定可能である。
【００２２】
なお、手繰りロータ２に釣り糸１０が巻き掛けられた状態であって、釣り糸１０の先が仕掛けに掛かった魚によって強く引っ張られ、且つこの引張方向が左右に振られたような場合に、この首振り角度設定手段３２が簡単に緩んでしまうことがないように、本実施形態ではロータ駆動部４の旋回台３４とクランプ部３１の上部挟持片３８との間で凹凸係合ができる構造を採用した。
すなわち、旋回台３４の下面にはロックピン４７を下向きに突設させると共に、上部挟持片３８の上面にはこのロックピン４７が嵌るピン用凹部４８を、複数の首振り角度（図例では３箇所）に合わせて凹設してある。ロックピン４７とピン用凹部４８との上下位置関係を相対逆にすることもできる。
【００２３】
なお、このような装置本体３において、本実施形態では、上記した支持基部３０の旋回台３５に魚信アンテナ５０が設けられている。この魚信アンテナ５０は、カーボンロッドなどにより形成されたもので、豊富な可撓性及び弾性を有している。この魚信アンテナ５０は釣り竿としての作用を期待したものではないので、長さ的には５０〜６０ｃｍもあれば十分である。
図１に示すように、この魚信アンテナ５０の先端部には釣り糸１０を通す糸通し部５１が設けられている。また、この魚信アンテナ５０が振動したときに、これを周辺に居る釣り人に報知する報知手段５２が設けられている。この報知手段５２は例えば鈴である。
【００２４】
この魚信アンテナ５０は必用に応じて装置本体３に対して着脱できるようになっている。本実施形態では、支持基部３０の旋回台３５に魚信アンテナ５０の根本部を差し込み可能としたソケット５３を斜め前方へ向けて突き出すように設けておき、このソケット５３の先端部寄りに抜け止め用のセットボルト５４を螺合させる構造とした。
次に、このような構成の手繰り補助装置１において、その使用状況を説明する。なお、多くの場合、「手釣り」を行うための釣り船は「竿吊り」をする釣り船とは別に仕立てられ、乗船する釣り客の殆どに「手釣り」を行う環境が与えられる。そして、釣り船には手釣り用の釣り糸１０が予め、準備されている。そこで釣り人は、本発明に係る手釣り補助装置１を所持して釣り船に乗り込めばよい。勿論、釣り船側においてこの手釣り補助装置１をも準備しておくことは可能である。
【００２５】
釣り船に乗船した釣り人はまず、釣り船上にて手釣りを行おうとする所望場所に陣取り、その近くの船縁（フナベリ）など、船体適所３７へこの手釣り補助装置１のクランプ部３１を挟み込み、クランクハンドル４２を回してこの手釣り補助装置１の取り付けを行う。そしてロータ駆動部４を携帯用バッテリー等の適宜電源（図示略）と接続し、オンオフスイッチ１７をオン操作しさえすれば手繰りロータ２が回転する状態にしておく。
多くの場合、最初の段階ではこの手繰り補助装置１を使わずに、人差し指へ釣り糸１０を引っ掛け、それに親指を添えるようなかたちで手釣りを堪能する。そして手釣りによって手指が痛くなってきた頃、釣り糸１０に当たりがきたとして、またそのときの魚が大物であったり引きが強かったりしたとする。
【００２６】
この場合などには、図５に示すように人差し指に引っ掛けた釣り糸１０を、先ず、手順1)で示すように糸ガイド２０の糸入れ口２１内へ入れて手繰りロータ２の上部へ回し、次に手順2)〜3)で示すように手繰りロータ２のまわりへ一周程度、巻き掛ける。そして、手順4)で示すように釣り糸１０を手繰りロータ２から手前側へ引き出した状態でオンオフスイッチ１７をオン操作し、ロータ駆動部４の作動で手繰りロータ２を回転させる。これにより、手繰りロータ２と共にそのまわりに巻き掛けられた釣り糸１０が手前へと手繰り寄せられるようになる。手繰り寄せられた釣り糸１０は、本来の手釣り同様、釣り船のデッキ上又は回収カゴ内などへ引き上げるようにすればよい。勿論、糸巻き用の木枠へ巻き付けるようにしてもよい。
【００２７】
この間、仕掛けに掛かった魚が激しく泳ぎまわるようなことがあった場合にも、釣り糸１０が糸ガイド２０によって横振れを制限された状態にあることから、手繰りロータ２から釣り糸１０が外れるということはない。
なお、手指の痛さが治まり、また手釣りをする意欲が沸いてきたときには手繰りロータ２から釣り糸１０を外し、再び手釣りを楽しめばよいものである。このように手繰りロータ２に対する釣り糸１０の巻き掛けや外しは、所望に応じて自由に行えるものである。
ところで、本発明は、上記した実施形態に限定されるものではなく、実施の形態に応じて適宜変更可能である。
【００２８】
例えば、手繰りロータ２は縦軸まわりで横回転させるものとしてもよい。手繰りロータ２の外径、回転方向、回転速度などは適宜変更可能である。
魚信アンテナ５０に設ける報知手段５２は、魚信アンテナ５０が振動したことを振動センサなどによって検出し、これで電子ブザーや電子メロディのようなものを鳴らしたり、或いは懐中電灯のようなものを光らせたりするものでもよい。
【図面の簡単な説明】
【００２９】
【図１】本発明に係る手繰り補助装置の一実施形態を示した斜視図である。
【図２】図１のＡ−Ａ線矢視図（側面図）である。
【図３】図２の一部を拡大して示した側面図である。
【図４】図３のＢ−Ｂ線矢視図である。
【図５】図１の手繰り補助装置の使用状況を説明した斜視図である。
【符号の説明】
【００３０】
１  手繰り補助装置
２  手繰りロータ
３  装置本体
４  ロータ駆動部
１０  釣り糸
２０  糸ガイド
３１  クランプ部
３２  首振り角度設定手段
３７  船体適所
５０  魚信アンテナ
５１  糸通し部
５２  報知手段
【図１】
2005204522.tif 000003
【図２】
2005204522.tif 000004
【図３】
2005204522.tif 000005
【図４】
2005204522.tif 000006
【図５】
2005204522.tif 000007